Podtech/llm-jp-corpus-v4-ja_patent huggingface dataset:
(57)【要約】      （修正有）【課題】綺麗な持ち手の手羽元串料理を可能にする手羽元肉を提供する。【解決手段】手羽元の加熱調理の順番を変えて、穴の開いた手羽元を始めに加熱調理し、調理後の手羽元４に串５を打って持ち手とする調理方法を明示する。【選択図】図２
0003208317.tif 000002
【実用新案登録請求の範囲】
【請求項１】
予めおでん、唐揚げ、煮込みなどの調理方法を示して加熱調理後に串を刺して持ち手とする目的で、骨の先端あるいは両端に穴を開けた手羽元肉。
【考案の詳細な説明】
【技術分野】
【０００１】
本考案は、食鳥加工品に関するものである。
【背景技術】
【０００２】
鳥手羽元の骨にドリルで穴を開けて串を打って持ち手とする実用新案はすでに公開されているが、食品としての加熱調理工程が想定されていないために、製品は一般に流通していない。
【先行技術文献】
【特許文献】
【０００３】
実開平０１−１３０６９１
【考案の開示】
【考案が解決しようとする課題】
【０００４】
鳥手羽元串をおでん、唐揚げ、煮込みなどの調理をする場合、持ち手の串が煮汁、油で汚れてしまい串の持ち手部を汚さないように調理しようとすると特別な保持具を使って保持しなければならず、手間ばかりかかって現実的に実用性がない。
【０００５】
骨に穴を開けた為に、骨の中から血液色の髄液が調理後に漏れ出る恐れがあり、特に唐揚げに於いては骨の穴に串で蓋をしているので、すき間から漏れ出る恐れがあり持ち手が汚れてしまう。
【課題を解決するための手段】
【０００６】
骨に穴を開けた手羽元に、調理方法（おでん、唐揚げ、煮込み等）を明示して加熱調理後に串を刺して持ち手とすることで課題を解決する。
【考案の効果】
【０００７】
骨に穴を開けた手羽元に調理法を明示し、加熱調理後に串を打つ事で手羽元串のオードブル、弁当のおかず、野外料理に利用できる手羽元串を提供する。
【考案を実施するための最良の形態】
【０００８】
穴あき手羽元をトレーに盛付け、それに料理法を明示した料理メモあるいはラベルを添付するか貼り付け、手羽元肉の加熱調理後に串を打って持ち手とする事でオードブル、弁当のおかずに利用できる。
【図面の簡単な説明】
【０００９】
【図１】生の手羽元肉加工図
【図２】加熱調理後の穴開き鳥手羽元
【符号の説明】
【００１０】
１    生の手羽元肉
２    骨
３    ドリル刃
４    加工調理後手羽元
５    串
【図１】
0003208317.tif 000003
【図２】
0003208317.tif 000004
(57)【要約】      （修正有）【課題】串を持って食べやすく保存性が良く衛生的でスムーズに手羽元を食す事が出来る手羽元串加熱加工包装食品を提供する。【解決手段】骨に穴２を開けた手羽元の加熱加工包装食品１に別の袋５入りの串４を添付して、袋を破って食べる直前に串を刺して持ち手とする。真空包装後の二次殺菌、あるいは常温流通やレトルト殺菌の為の長時間加熱に伴う中のタレや煮汁のもれにより、持ち手としての串が汚れてしまうことを防止できる。【選択図】図１
0003208318.tif 000002
【実用新案登録請求の範囲】
【請求項１】
木、竹あるいはプラスチックの中から選ばれた袋入りの串を袋の内側あるいは外側に添付する事で、食べる直前に手羽元に刺して持ち手とする事を目的とした骨の一端あるいは両端に穴を開けた鳥手羽元加熱加工包装食品。
【考案の詳細な説明】
【技術分野】
【０００１】
本考案は、食鳥加工品に関するものである。
【背景技術】
【０００２】
鳥手羽元の骨にドリルで穴を開けて串を打って持ち手とする実用新案は既に公開されているが、食品としての加熱調理工程が想定されていないために食品としての製品は一般に流通していない。
【先行技術文献】
【特許文献】
【０００３】
実開平０１−１３０６９１
【考案の開示】
【考案が解決しようとする課題】
【０００４】
おでん、唐揚げ、煮込みの調理をする場合持ち手の串が煮汁、油で汚れてしまい、串を汚れないように調理しようとすれば特別な保持具を使って保持しなければならず、手間ばかりかかって現実的に実用性がない。
【０００５】
骨に穴を開けた為に骨の血液色の髄液が調理後に漏れ出る恐れがあった。
【０００６】
鳥手羽元串として加熱調理を行い、袋に詰めて真空包装を施して、二次殺菌あるいは常温流通やレトルト殺菌の為の長時間加熱を行うと、中のタレ、煮汁が外からの圧力で袋と串の間に出てきてしまい、持ち手としての串が汚れてしまうという課題があった。
【課題を解決するための手段】
【０００７】
骨に穴を開けた手羽元の加熱加工包装食品に別の袋入りの串を添付して、袋を破って食べる直前に串を刺して持ち手とすることで、清潔で衛生的に手羽元加工品を食す事が出来、課題を解決する。
【考案の効果】
【０００８】
串を持って食べやすく保存性が良く衛生的でスムーズに手羽元を食す事が出来る手羽元串加熱加工包装食品を提供する。
【考案を実施するための最良の形態】
【０００９】
骨に穴を開け調理液で漬け込んだ手羽元を桜のチップで燻製にして、加熱を行った後袋に入れて真空包装を行い、さらに９０分二次殺菌を施した袋の外側に袋に入れ密封した串を添付する事で、袋を破って食べる直前に手羽元の骨の穴に串を刺して持ち手とする事で手を汚さず衛生的にスムーズに食す事が出来る。
【図面の簡単な説明】
【００１０】
【図１】真空包装された手羽元加工品及び袋入り串
【図２】手羽元串断面図
【符号の説明】
【００１１】
１    手羽元加工品
２    串を通す為の穴
３    真空袋
４    串
５    串の袋
６    骨
【図１】
0003208318.tif 000003
【図２】
0003208318.tif 000004
(57)【要約】      （修正有）【課題】「つめかえ用」液体商品を購入する時に別途詰め替え容器を購入するか、あらかじめボトル入り同液体商品を購入しておく必要性をなくすことができる飲料用ペットボトルキャップを提供する。【解決手段】広く普及しているＰＣ０１８１０規格サイズのキャップの上面に、液体商品取り出し用の穴を空けて液体商品用のキャップとする。飲料用ペットボトルを「つめかえ用」液体商品の詰め替え容器として再利用できるため、別途詰め替え容器を購入する必要がなくなる。【選択図】図１
0003208695.tif 000002
【実用新案登録請求の範囲】
【請求項１】
上面に穴を空けた、PCO1810規格サイズの飲料用ペットボトルキャップの提供
【考案の詳細な説明】
【考案の概要】
【考案が解決しようとする課題】
【０００１】
洗剤や調味料など、「つめかえ用」液体商品を購入した際に必要な詰め替え容器を用意する
【課題を解決するための手段】
【０００２】
上面に穴を空けた、PCO1810規格サイズの飲料用ペットボトルキャップの提供
【考案の効果】
【０００３】
広く普及しているPCO1810規格サイズで穴空けキャップを提供することにより、
飲料用ペットボトルを「つめかえ用」液体商品の詰め替え容器として再利用できるため、
別途詰め替え容器を購入する必要がなくなる。
【図面の簡単な説明】
【０００４】
【図１】A=27.97±0.13mm周状顎部(TEバンド嵌合部突起)、直径(=キャップ内径)                              P= 3.18±0.10ｍｍスレッドピッチ                                                                                  X=21.00±0.25ｍｍ口栓部上端からサポートリング下端までの長さ                                        S= １．７０±0.08mmスレッド巻数(角度)=約2.3(=840°)
【図２】W1=W2、H1=H2
【図３】外観
【図１】
0003208695.tif 000003
【図２】
0003208695.tif 000004
【図３】
0003208695.tif 000005
(57)【要約】      （修正有）【課題】日常で使用できるとともに、いつでもどこでも一瞬にして数珠として使用出来るようにする数珠ブレスレットを提供する。【解決手段】伸び縮みする紐素材で数珠を繋ぎ、手首の円周の２倍程度の長さの輪をつくり結んだものと、房とペンダントヘッド其々に取り付け取り外し自由なフックを付けた付属品とで、数珠ブレスレットを構成する。日常、数珠ブレスレットとして使用している時は二重にしてペンダントヘッドを取り付け、数珠として使用する時は一重にしてフックで房に付け替えることが出来るようにすることで、仏事にしか使用しなかった数珠をファッショナブルなものにすると同時に活用範囲を広げる事ができる。【選択図】図１
0003208697.tif 000002
【実用新案登録請求の範囲】
【請求項１】
伸び縮みする紐素材で数珠を繋ぎ、手首の円周の２倍程度の長さの輪をつくり結んだものに、付属品として房とペンダントヘッドに其々取り付け取り外し自由なフックを付け、数珠ブレスレットとしても数珠としても自由自在に変化できることを特徴とする数珠ブレス。
【考案の詳細な説明】
【技術分野】
【０００１】  本考案は、日常ファッションでしている数珠ブレスレットが、一重にもどし、房をフックで付け替えることで、数珠として使用できる。
【背景技術】
【０００２】  急な仏事にも対応すると同時に、仏事にしか使用しなかった数珠を日常に活用できるようにした。
【考案の概要】
【考案が解決しようとする課題】
【０００３】  急な仏事に数珠を用意することや、仏事にしか使用しない数珠は、労働的、経済的に効率が悪く負担である。従って、数珠と数珠ブレスレットを一体化することにより、前述の欠点を安全で簡単に解決しようとするものである。
【課題を解決するための手段】
【０００４】  本校案は、数珠ブレスレットを伸び縮みする紐で二重巻にし、房を取り外し自由にすることで問題点を解決している。
【考案の効果】
【０００５】  上述の様に、本考案の数珠ブレスは一つで、数珠ブレスレットとしても数珠としても使用が出来るため、数珠の活用と急な仏事の対応に役立つ。
【図面の簡単な説明】
【０００６】
【図１】本校案の数珠ブレスを腕に二重巻にした正面図である。（１）はフックとりはずした時  （２）はフックとりつけた時
【図２】本校案の数珠ブレスを一重に開いた正面図である。（１）はフックとりはずした時  （２）はフックとりつけた時
【考案を実施するための形態】
【０００７】二重に巻いた数珠ブレスレットを一重にし、房をつけることで数珠として活用できる。
【実施例】
【０００８】以下、添付図面に従って実施例を説明する。普段使いしている１の二重巻になった輪を２のように一重にし、３か４の房を好みで付けることで仏事に使用する。３は１の状態の時に使用しても５のように美しくファッション性がある。
【符号の説明】
【０００９】１  腕に二重に巻いた数珠ブレス
２  付け替え可能なペンダントヘッド（形を限定しない）
３  腕に二重に巻いた数珠ブレスに付け替え可能なペンダントヘッドを装着
４  一重に開いた数珠ブレス
５  付け替え可能な房
６  一重に開いた数珠ブレスに付け替え可能な房を装着
【図１】
0003208697.tif 000003
【図２】
0003208697.tif 000004
(57)【要約】      （修正有）【課題】ボトル容器の開口部増設により、これまで以上に利用価値のあるペットボトルになり得るダブルキャップボトルを提供する。【解決手段】ペットボトルに再利用の拡大を促す目的で、円形のネジ式増設開口部をペットボトル容器の肩の部位に設け、通常の上部ネジ式キャップ１と増設された大きな円形開口キャップ３で、一個のボトル容器５と成る二個の開口部を設け、幅広い分野で再利用が出来る。【選択図】図１
0003208696.tif 000002
【実用新案登録請求の範囲】
【請求項１】
ペットボトルに再利用の拡大を促す目的で、増設の開口部を設け幅広い分野で再利用が出来ることを、特徴とするダブルキャップボトル。
【考案の詳細な説明】
【技術分野】
【０００１】  本考案は、約１リットル以上のペットボトルが使用後、概ねリサイクルとして廃棄されるが、再利用とする目的の新しいダブルキャップボトルに関するものである。
【背景技術】
【０００２】  １リットルの醤油やソースのペットボトル、２リットルの水やお茶のペットボトル、３リットルの焼酎や洋酒等のペットボトルは、使用後ごくわずかの利用で、ほとんどがリサイクルとして廃棄処理され、効率的な利用域の無い容器として販売されている。また、これらのペットボトルより小さいペットボトルは、適切な廃棄物処理が行われずペットボトルのごみ公害を発生させる社会問題になっている。
【先行技術文献】
【特許文献】
【０００３】
【特許文献１】特開２０１０−２０８６８９  特許文献１のダブルキャップはマヨネーズ製造に、他の容器に移し替える手間を省きそのまま搾り出して使える様に、搾り出し口のついた、ネジ式で脱着できるダブルキャップを設けた。と記載されている。
文献のダブルキャップは容器開口部のネジ式キャップを表してマヨネーズ製造と保存ができる容器に関するものでダブルキャップの形成に大きな格差がある。
【考案の概要】
【考案が解決しようとする課題】
【０００４】  従来のペットボトルは、何れも開口部が小さので使用後の再利用が限られ、液体等やサラサラした微小固形物の注入利用に限られる。しかし、ボトル容器の開口部増設により、これまで以上に利用価値のあるペットボトルになり得るものである。
【課題を解決するための手段】
【０００５】  そこで、ペットボトルの上部で立ち上がりの縮小される部分でボトルの肩に属する部位に大きなネジ式の脱着可能な増設の開口部を設ける事により、利用価値が拡大されるダブルキャップボトルである。
【考案の効果】
【０００６】  ペットボトル上部のキャップ又はネジ式のキャップ及びボトルの肩に属する部位に大きなネジ式の開口を設けた事により。本考案のダブルキャップボトルとする構成が成り立つものである。これにより各種のボトル内の使用が終わり大きな開口部からの再利用が幅広く実現する。これまでのペットボトルでは、内部に汚れが生じたとき、手を入れて清掃する事ができない、小梅ほどの小さな物も入れる事が出来ない等この状況が大きく一変する、３リットルのペットボトル容器では各種の食料品収納の利用が増大し一石二鳥の効果が得られる。
【図面の簡単な説明】
【０００７】
【図１】はダブルキャップボトルのダブルキャップを開口し個々に分離して観た、ペットボトルの斜視図である。
【考案を実施するための形態】
【０００８】  以下、本考案の実施の形態を図面に基き説明する。
図１に於いてボトルの肩に属する部位に通常のキャップに対して大きな増設キャップを設けた、通常のキャップ１で通常のキャップのネジ部２にネジ式で開閉できる、通常のボトルキャップである。増設キャップ３は、増設キャップのネジ部４へネジ式で開閉できる。この３及び４のネジ式開閉キャップ増設が本考案のダブルキャップボトルのダブルキャップとする主案の構成を示した図面である。
【実施例】
【０００９】  図１で示される、水やお茶のペットボトル２リッターの場合、通常キャップのネジ部２の内径は２２ｍｍほどで中身の使用後の再利用としても開口部が狭いため再利用の思い付きも浮かばず、リサイクルとして廃棄処理される。しかし、通常のキャップ１、通常のキャップネジ部２が閉じた状態で、増設キャップ３と増設キャップのネジ部４の内径が７０ｍｍ以上の大きなネジ式開閉口が形成された場合、再利用の利用効果が飛躍的に増大する。【００１０】  ３リッターを超えるペットボトルでは、増設キャップ３と増設キャップのネジ部を通常のペットボトルに対し増設したので、これらを開閉する事により多くの食料品である穀類の保存と、様々な豆類の保存、イモや根菜類等の容器として丈夫で軽く、おおいに重宝できるものである。これに代わるガラスビンの容器があるが、重く又は強い衝撃により割れるとする欠点がある。また、ダブルキャップボトルは空容器の販売も十分可能であり、多種多様の利用効果が得られるものである。【００１１】  年間を通した季節の果樹酒等の作りでは、あらかじめ焼酎ボトル酒をペットボトルに果実と氷砂糖の量を印刷しておけば内容量の半分で商品化、そこに果実と氷砂糖を投入する事により一気に作れる。出来上がれば上のキャップを開けて、素早く注ぎ出せる。これまでの果実酒の面倒な作り方を一変する商品開発としたダブルキャップボトルでもある。
【産業上の利用可能性】
【００１２】  本考案のダブルキャップボトルではボトル本体の中身の使用後の利用価値の向上により、通常のペットボトルに勝る商品であり多くの工夫商品の企画が考案され、販売の増加が見込める。
【符号の説明】
【００１３】１通常のキャップ
２通常のキャップのネジ部
３増設キャップ
４増設キャップのネジ部
５ペットボトル容器
【図１】
0003208696.tif 000003
【手続補正書】
【提出日】平成28年9月30日(2016.9.30)
【手続補正１】
【補正対象書類名】実用新案登録請求の範囲
【補正対象項目名】全文
【補正方法】変更
【補正の内容】
【実用新案登録請求の範囲】
【請求項１】
ペットボトルに再利用の拡大を促す目的で、円形のネジ式増設開口部をペットボトル容器の肩の部位に設け、通常の上部ネジ式キャップと増設された大きな円形開口キャップで、一個のボトル容器と成る二個の開口部を設け、幅広い分野で再利用が出来る特徴を提供するダブルキャップボトル。
(57)【要約】      （修正有）【課題】店頭にて販売する既存の抹茶をお客様がより簡単に美味しく楽しむための抹茶の小分け包装パックを提供する。【解決手段】抹茶１を１回分ずつ小分けにし、密封できる袋に袋詰めする。【選択図】図１
0003208699.tif 000002
【実用新案登録請求の範囲】
【請求項１】
薄茶一服分点てるのに必要な抹茶を、使用する一回分ごと袋詰めした抹茶の小分け包装パック
【考案の詳細な説明】
【技術分野】
【０００１】本考案は、飲料としての抹茶の包装に関する。
【背景技術】
【０００２】従来からの店頭で販売する抹茶は、数十〜百グラム単位でパック包装もしくは缶に詰めた状態で販売されている。専門店では量り売りもしているが、１回分ごとに小分け袋詰めして販売するシステムは無い。
【考案の概要】
【考案が解決しようとする課題】
【０００３】抹茶を点てる際には開封済みの缶から使用する場合、湿気などで固まってしまった抹茶を茶漉し缶にて漉す必要がある。また、抹茶を掬うのに専用の「茶杓」を用い、適切な抹茶の量を計量するには技術を要する。このため、最低限の道具を用意するだけで、適切な状態の薄茶を点てるためには改善を要する。
【課題を解決するための手段】
【０００４】上記目的を達成するために、抹茶を銘柄ごと１回分に小分けし密封できる専用の小袋を用意し販売する。
【考案の効果】
【０００５】抹茶を一回分ずつ小分けにすることにより、抹茶の品質を安定した状態に保つことができる。また、大きな缶を持ち運ばなくても、複数の銘柄の抹茶を必要な分だけ持ち運べばよく、茶漉し缶や、茶杓、棗等の附帯する道具も不要となるため、どこでも気軽に持ち運んで抹茶を楽しむことができる。さらに、毎回薄茶を点てるのに必要な一定の抹茶の量を計量することができるため、初心者もより手軽に抹茶を点てることができる。
【図面の簡単な説明】
【０００６】
【図１】本考案の抹茶を小分け袋詰めした状態を示す斜視図である。
【図２】本考案の抹茶を小分け袋詰めした状態（スティックタイプ）を示す斜視図である。
【考案を実施するための形態】
【０００７】図１及び図２には、小分けした袋詰めされた抹茶が斜視図にて示されている。この図に示されるごとく、抹茶は１回分に必要な量を袋詰めして販売する。
【産業上の利用可能性】
【０００８】お客様は、小分け袋詰めされた抹茶を手軽に好みに応じて楽しめるので、抹茶を飲む機会が増える。また店頭の茶碗や茶筅などの茶道具の拡販につながる。
【符号の説明】
【０００９】１      薬包紙に小分けし袋詰めされた抹茶
２      スティックタイプに小分けし袋詰めされた抹茶
【図１】
0003208699.tif 000003
【図２】
0003208699.tif 000004
(57)【要約】      （修正有）【課題】経年変化による劣化に耐え、高い装飾性を持った骨壺カバーを提供する。【解決手段】骨壺カバー１０に氏名、愛称等の文字１１や、家紋、花模様等の図柄１１を刺繍及び／又は印刷、あるいはそれらを予め施した別布を取り付け設置する。よって、本考案の刺繍及び／又は印刷を用いた骨壺カバーにより、故人または亡くなった愛玩動物に関する表示がなされることを特徴とし、また経年変化による劣化に耐え、高い装飾性を持った骨壺カバーとなる。【選択図】図３
0003208622.tif 000002
【実用新案登録請求の範囲】
【請求項１】
人または愛玩動物の骨壺もしくは骨箱を収納する骨壺カバーにおいて、刺繍及び／又は印刷技術を用いて、文字及び／又は図柄を有する骨壺カバー。
【請求項２】
前記刺繍及び／又は印刷が施された骨壺カバーは、故人または亡くなった愛玩動物に関する表示がなされていることを特徴とする、請求項１に記載の骨壺カバー。
【請求項３】
前記刺繍及び／又は印刷を施した別布を、骨壺カバーの表面に取り付けて設置されることを特徴とした請求項１又は２に記載の骨壺カバー。
【考案の詳細な説明】
【技術分野】
【０００１】  本考案は、刺繍及び／又は印刷による文字及び／または図柄を施した、人または愛玩動物の骨壺カバー（骨壺収納用カバー、骨箱カバー、骨覆、骨壺袋、遺骨袋、分骨袋）に関するものである。
【背景技術】
【０００２】  従来の骨壺カバーにおいては、故人または亡くなった愛玩動物に関する表示がされていなかった。もしくは、優美な布製の骨壺カバーに対して、名と年月日を紙製シールに手書きで記して貼付する簡素なものであった。【０００３】  特許文献１においては、刺繍は装飾のための画一的な模様であり、故人に関する個々の表示は設置されていなかった。【０００４】  特許文献２においては、愛玩動物の名を印刷して貼り付けていたが、没年月日等の文字や図柄は設置されていなかった。【０００５】  特許文献３においては、透明シートを貼り付けてシートの中に抜き差し可能な紙を入れるものであった。
【先行技術文献】
【特許文献】
【０００６】
【特許文献１】実用新案登録第３０７８２７６号  公報
【特許文献２】実用新案登録第３０９２２１０号  公報
【特許文献３】実用新案登録第３０１１３６８号  公報
【考案の概要】
【考案が解決しようとする課題】
【０００７】  従来の骨壺カバーにおいては、故人または亡くなった愛玩動物に関する表示がされていない。もしくは、紙製シールの経年劣化が早く手元供養及び納骨による長期保存に適さない。また、遺骨は故人または愛玩動物の亡骸の一部であることから遺族は特別な感情を抱くものであるが、これでは美観を損ね上質感や高級感は望めない。
【課題を解決するための手段】
【０００８】  そこで、本考案１は、骨壺カバーに、氏名、俗名、戒名、法名、愛称、年齢、享年、生年月日、没年月日、遺言、メッセージ等の文字や、家紋、花模様、イラスト、記号等の図柄のうち少なくとも１つ以上を刺繍及び／又は印刷、あるいは取り付ける。
具体的には、所定の場所に刺繍糸を用いてミシンまたは手刺しで刺繍する方法、または所定の場所に印刷する方法、あるいは、予め文字や図柄を刺繍及び／又は印刷をした別布を骨壺カバーに接着または縫い付け、もしくは面ファスナーを利用して設置する方法、そしてその３種のうち２つ以上を組み合わせる方法のいずれかをとる。【０００９】  本考案２は、骨壺カバーに、故人または亡くなった愛玩動物に関する氏名、俗名、戒名、法名、愛称、年齢、享年、生年月日、没年月日、遺言、メッセージ等の文字や、家紋、花模様、イラスト、記号等の図柄のうち少なくとも１つ以上を刺繍及び／又は印刷する。
具体的には、所定の場所に刺繍糸を用いてミシンまたは手刺しで刺繍する方法、または所定の場所に印刷する方法、あるいは、その２つを組み合わせる方法のいずれかをとる。【００１０】  本考案３は、別布に、氏名、俗名、戒名、法名、愛称、年齢、享年、生年月日、没年月日、遺言、メッセージ等の文字や、家紋、花模様、イラスト、記号等の図柄のうち少なくとも１つ以上を刺繍及び／又は印刷し、骨壺カバーに設置する。
具体的には、予め、別布に刺繍糸を用いて文字や図柄をミシンまたは手刺しで刺繍及び／または印刷を施して、骨壺カバーに接着または縫い付け、もしくは面ファスナーを利用して設置する。
【考案の効果】
【０００１１】  よって、本考案の刺繍及び／又は印刷を用いた骨壺カバーにより、故人もしくは亡くなった愛玩動物に関する表示がなされていることを特徴とし、また、経年変化による劣化に耐え、高い装飾性を持った骨壺カバーとなる。
【図面の簡単な説明】
【００１２】
【図１】実施例の構成を示す概略図である。
【図２】文字や図柄を他の箇所に設置する場合の例を示す説明図である。
【図３】文字や図柄を別布に刺繍または印刷を施した上で設置するようにした実施例の構成を示す概略図である。
【考案を実施するための形態】
【００１３】  以下、図面に基づいて本考案の実施例について詳細に説明する。図１は、実施例に係る文字と図案を骨壺カバーの正面側の中央部に刺繍を施した骨壺カバーの実施例の一例を示した。
【００１４】  骨壺カバー１０は、主な原材料は繊維製品であり、骨壺あるいは骨箱の形状に対応した形状とされている。また、底は無くても良い。
【００１５】  図２は、文字や図案の設置場所の変更例を示した。文字や図案の設置箇所が図上破線で示したものである。このように、必ずしも骨壺カバー１０の正面側の中央部に設置するものに限らず、両側あるいは中央からずれた位置や背面に設置し、目立たないようにすることも可能である。
【００１６】  図３は、文字と図案を別布に刺繍したラベル１２を、骨壺カバー１０の正面側の中央部に接着したものを示した。
【００１７】    なお、本考案は、上記実施例の構成に限定されるものではなく、考案の要旨の範囲内で種々の変形が可能である。例えば、上記実施例では、骨壺カバーの形状を六角柱としたが、このような形状に限られず、立方体や円柱型、巾着型、人や動物を模った形状の表示とすることも可能である。また、予め、文字及び／又は図柄を刺繍及び／又は印刷した別布においても、種々の変形、縦横の制限、骨壺カバー上の位置、大きさに制限を設けない。
【符号の説明】
【００１８】１０  骨壺カバー
１１  文字と図柄
１２  ラベル
【図１】
0003208622.tif 000003
【図２】
0003208622.tif 000004
【図３】
0003208622.tif 000005
(57)【要約】      （修正有）【課題】ネジ、ボルト、針金で固定するのではなく、外壁・外構に簡単に着脱できる装飾品を提供する。【解決手段】装飾品を、着脱自在なゲルにより外壁・外構に取り付ける。自在に取り外しを行うことができ、四季やクリスマスなどのイベントごとに簡単に家屋等の外観に雰囲気をつくることができる。【選択図】図１
0003208623.tif 000002
【実用新案登録請求の範囲】
【請求項１】
装飾部材のへりに着脱自在なゲルを取り付け、ゲルの接着部分については装飾部材との接着面は取り外しできないように加工し、家屋等に接着させる面については着脱自在な状態を保つという構造を有する装飾品。
【考案の詳細な説明】
【技術分野】
【０００１】本考案は、家屋やマンションなどの建物（以下、「家屋等」という。）の外壁又は外構に着脱自在な装飾品に関する。
【背景技術】
【０００２】従来の家屋等の外壁又は外構の装飾品としては、ネジ、ボルト、針金で固定するものが一般的である。
【先行技術文献】
【特許文献】
【非特許文献】
【考案の概要】
【考案が解決しようとする課題】
【０００３】装飾品を外壁又は外構に取り付ける方法として一般的なのはネジ、ボルト、針金で固定する方法であるが、着脱に時間と手間が掛かってしまう。そのため、外壁・外構に簡単に着脱できる装飾品はあまり流通していない。
【課題を解決するための手段】
【０００４】着脱自在なゲルにより外壁又は外構に取り付ける方法を用いて、自在に取り外しができることで、四季やクリスマスなどのイベントごとに簡単に家屋等の外観に雰囲気をつくることができる装飾品。
【考案の効果】
【０００５】ネジ、ボルト、針金で固定するのではなく、簡単に着脱できるゲルを用いて外構・外壁に装飾を施すことを可能にし自在に取り外し可能にすることで、四季やクリスマスなどのイベントに合わせた雰囲気のある家屋等を増加させることができる。
【図面の簡単な説明】
【０００６】本装飾品は、装飾部材のへりに着脱自在なゲルを取り付けることを基本構造としている。
ゲル部分については、装飾部材との接着面は取り外しできないように加工し、家屋等の外壁又は外構に接着させる面については着脱自在な状態を保つ。
【図１】本装飾品の断面図である。
【図２】本装飾品を外壁又は外構への取り付け側から見た平面図である。
【図３】本装飾品を装飾部材側から見た平面図である。
【考案を実施するための形態】
【０００７】ゲルの粘着力を用いて、本装飾品を、家屋等の外壁又は外構に接着する。
【実施例】
【０００８】プラスチック製の装飾品のへりに強力粘着ゲル（水洗いで再利用可能なもの）を取り付ける。それを家屋等の外壁に貼り付ける（この時、ゲルをしっかり家屋の外壁に押し付ける）。
【産業上の利用可能性】
【０００９】本装飾品については、四季やクリスマスなどのイベントの雰囲気に合ったデザインのものを制作することで、外壁又は外構をお洒落にしたいという需要に応えることができると考えられる。
【符号の説明】
【図１】
0003208623.tif 000003
【図２】
0003208623.tif 000004
【図３】
0003208623.tif 000005
(57)【要約】      （修正有）【課題】ユニバーサルブーツの基本を維持したまま、健常者、障害者にとってより取扱いが楽となるブーツ、すなわち、健常者にあっては、足の浮腫み等で朝夕で足の太さが変わっても適用でき、身障者にあっては、補装具の大きさが変わっても適用できるブーツを提供する。【解決手段】脚部と足首部と足部と靴底とが繋げられて形成されたブーツにおいて、脚部４は前脚部材５と後脚部材６とから形成され、前脚部材と後脚部材の隣り合う端部どうしは、夫々の前脚部材と後脚部材との上端部から足部と靴底との接着位置まで伸びる連結部材７で互いに開閉可能に連結され、前脚部材は、前脚外部材５−１と前脚内部材５−２との２つの部材で形成されて外部材と内部材とが互いに幅方向に貼り付け位置が調整可能な貼り付け手段で重ね合わされて形成されている。【選択図】図３
0003208624.tif 000002
【実用新案登録請求の範囲】
【請求項１】
脚部と足首部と足部と靴底とが繋げられて形成されたブーツにおいて、前記脚部は前脚部材と後脚部材とから形成され、前記前脚部材と前記後脚部材の隣り合う端部どうしは、夫々の前記前脚部材と前記後脚部材との上端部から前記足部と前記靴底との接着位置まで伸びる連結部材で互いに開閉可能に連結され、前記前脚部材は、前脚外部材と前脚内部材との２つの部材で形成されて前記外部材と前記内部材とが互いに幅方向の貼り付け位置調整可能に貼り付け手段で重ね合わされて形成されていることを特徴とするブーツ。
【請求項２】
請求項１記載のブーツにおいて、前記連結部材はジッパーからなり、前記前脚外部材と前脚内部材とは面ファスナーにより重なり合わされて形成されていることを特徴とするブーツ。
【考案の詳細な説明】
【技術分野】
【０００１】  本考案は、履物のブーツ、特に足用装具である補装具を使用した身体障害者用のユニバーサルデザインブーツに関する。
【背景技術】
【０００２】  健常者でも利用でき、特に身体障害者が使用して好適なブーツとしては、本考案者が考案した特開２０１３−８１７２２号公報に記載されたユニバーサルデザインブーツがある。この公報に記載されたユニバーサルデザインブーツは、身体障害者用のブーツとしては基本となる画期的なブーツである。
【先行技術文献】
【特許文献】
【０００３】
【特許文献１】特開２０１３−８１７２２号公報
【考案の概要】
【考案が解決しようとする課題】
【０００４】  特開２０１３−８１７２２号公報記載のユニバーサルブーツは、身体障害者用のブーツとしては基本となるブーツであり、本考案は、このユニバーサルブーツの基本を維持したまま、健常者、身体障害者にとってより取扱いが楽となるブーツ、すなわち、健常者といえども、足の浮腫み等で朝夕で足の太さが変わるが、足の太さが変わっても適用できる物、身障者にあっては、補装具の大きさが変わっても適用できるブーツを提供することを目的とするものである。
【課題を解決するための手段】
【０００５】  そのため本考案は、脚部と足首部と足部と靴底とが繋げられて形成されたブーツにおいて、脚部は前脚部材と後脚部材とから形成され、前脚部材と後脚部材の隣り合う端部どうしは、夫々の前脚部材と後脚部材との上端部から足部と靴底との接着位置まで伸びる連結部材で互いに開閉可能に連結され、前脚部材は、前脚外部材と前脚内部材との２つの部材で形成されて前脚外部材と前脚内部材とが互いに幅方向の貼り付け位置調整可能に貼り付け手段で重ね合わされて形成されているブーツを提供し、さらに、連結部材はジッパーからなり、前脚外部材と前脚内部材とは面ファスナーにより重なり合わされて形成されているブーツを提供するものである。
【考案の効果】
【０００６】  本考案のブーツにあっては、前脚部材と後脚部材の隣り合う端部どうしは、脚部の上端部から足部の底部まで伸びる連結部材で互いに開閉可能に連結されているので、ブーツを履く際、或は、脱ぐ際には、前脚部材と後脚部材を大きく開けることができるので、補装具をつけていても容易にブーツを脱いだり履いたりすることができ、また前脚外部材と前脚内部材とが互いに移動可能に重なり合わされて形成されているので、補装具の大きさに合わせて脚部の太さも容易に調整することができるものである。
【図面の簡単な説明】
【０００７】
【図１】図１は本考案に基づくブーツの正面位置から見た斜視図。
【図２】図２は本考案に基づくブーツの前脚右部材と前脚左部材を開いた状態を示す図。
【図３】図３は本考案に基づくブーツの前脚部材と前脚部材を開いた状態を示す図。
【考案を実施するための形態】
【０００８】  本考案を、図１乃至図３に示す１実施例に基づいて具体的に節米する。図１乃至図３において、皮革、合成ゴム等からなる靴底１には、皮革等からなり、順次繋がった足部２、足首部３、脚部４からなるブーツ本体が足部２の下方が接着されてブーツを形成している。
【０００９】  また、脚部４は、前脚部材５と後脚部材６とで形成されている。前脚部材５と後脚部材６とは、上下に伸びて向かい合った端部が、ジッパー等の連結部材７により開閉可能に連結されている。連結部材７は、前脚部材５と後脚部材６との上端部近傍から靴底１と足部２との接着部分近傍まで伸びるものであり、前脚部材５と後脚部材６とが」大きく開閉可能になっている。
【００１０】  さらに、前脚部材５は前脚外部材５−１と前脚内部材５−２とから二重に形成され、前脚外部材５−１と前脚内部材５−２は、面ファスナー等の貼り付け手段８により幅方向の貼り付け位置が調整できるように構成されている。
【００１１】  本実施例のブーツでは、図３に示すように、連結部材７で脚部４を靴底１近傍まで開くことができるので、補装具をつけた身体障害者も簡単にブーツを履くことができる。さらに、ブーツを履く前に、前脚部材５と後脚部材６とを開いておけば、ブーツを履いた後に前脚部材５と後脚部材６を貼り付ける事で脚部４の太さが調節でき、身障者の補装具の大きさが変わってもブーツを変えることなく、ブーツが利用できる。これは、健常者であっても、足のむくみ等で、朝夕で足の太さも変わるが、これにも対応できるものである。
【符号の説明】
【００１２】１：靴底
２：足部
３：足首部
４：脚部
５：前脚部材
５−１：前脚外部材
５−２：前脚内部材
６：後脚部材
７：連結部材
８：貼り付け手段
【図１】
0003208624.tif 000003
【図２】
0003208624.tif 000004
【図３】
0003208624.tif 000005
(57)【要約】      （修正有）【課題】軽くてコンパクトであり、場所も取らず便利に持ち運ぶ事ができ、手軽に運動ができる家庭用運動器具を提供する。【解決手段】筒状に形成した容器１の両端面部にそれぞれ相対する位置にハンドル２を取り付け回転運動する運動器具であって、回転運動に制動力を与える重り３を筒状内に挿入した。軽い５００ｇのボ−ルが中に入った環状の筒のグリップを持ちあげて回すだけで、気軽に上半身の運動やダイエットができる。【選択図】図１
0003208626.tif 000002
【実用新案登録請求の範囲】
【請求項１】
筒状に形成した容器の両端面部にそれぞれ相対する位置にハンドルを取り付け回転させ回転運動する運動器具であって、前記回転運動に制動力を与える重りを前記筒状内に挿入したことを特徴とする家庭用運動器具である。
【請求項２】
前記重りは球技用ボ−ルであることを特徴とする請求項１記載の家庭用運動器具である。
【請求項３】
前記重りはベアリングボ−ルであることを特徴とする請求項１記載の家庭用運動器具である。
【考案の詳細な説明】
【技術分野】
【０００１】本発明は、ダイエットに効果がある健康運動器具に関する。
【背景技術】
【０００２】運動やダイエットの時、今の重いダンベルやバ−ベルなどは落下などのけがや物が大きいので家庭用には向いてない。
【先行技術文献】
【０００３】
【特許文献１】特開平２００７−２６８１９２号  公報
【考案の概要】
【考案が解決しようとする課題】
【０００４】従来の運動器具は大きい物が多くて持ち運びが大変である。【０００５】本考案は従来の運動器具より軽くてコンパクトなので場所も取らず便利に持ち運ぶ事ができるので手軽に運動することができる事を目的とする。
【解決するための手段】
【０００６】環状の筒に左右、上下に相対する回転式ハンドルを一つずつ付け、筒の中に重りのある球技用ボ−ルを入れた運動器具であることを特徴とする家庭用運動器具である。
【考案の効果】
【０００７】本考案の運動器具はハンドルを持って筒をまわすだけで上半身の鍛えや二の腕のダイエットに効果がある物である。
【図面の簡単な説明】
【０００８】
【図１】本考案の実施の形態を表す全体図
【図２】環状の筒に左右、上下に相対するハンドルを付けた正面図
【図３】重りがあるボ−ルが入っている部分断面図
【考案を実施するための形態】
【０００９】以下、本考案の実施の形態を図１〜図３を用いて説明する。
【００１０】環状の筒１に左右、上下に相対する回転式ハンドル２を付けて筒の中に重り又はベアリングボ−ル３を入れた運動器具である。ボールの重量は最適には５００ｇ程度であり、ベアリングにおいても同様である。空洞から重りのあるボ−ルを出し入れするところである。ハンドルの位置は相対に取り付ける。
【図１】
0003208626.tif 000003
【図２】
0003208626.tif 000004
【図３】
0003208626.tif 000005
(57)【要約】      （修正有）【課題】下車時に後方の十分な安全確認ができる後部座席者下車時後方安全確認ミラーを提供する。【解決手段】後部ドアの外側付近に後部席専用のミラー１を設け、後部座席者が下車時に後方から接近する自動車、オートバイ、自転車等をミラー１で安全を確認する事によりドアの開閉による衝突事故を未然に防止する事を特徴とする。【選択図】図１
0003208625.tif 000002
【実用新案登録請求の範囲】
【請求項１】
後部座席者が下車時に後方からの自動車、オートバイ、自転車等の接近を後部両側外部ドア付近にミラーを設け、安全確認をして後部ドアを開き事故を防止する事を特徴とする後部座席者下車時後方安全確認ミラー。
【考案の詳細な説明】
【技術分野】
【０００１】  本考案は後部座席者が後方の安全確認を行い事故を未然に防止する事を可能にすることを目的とした考案である。
【背景技術】
【０００２】  従来は後部座席者が下車時に余り後方の安全を確認せずにドアを開けて自動車、オートバイ、自転車が近くを通行して衝突事故お起こす事故が多い。
殆ど安全確認に気を遣う事が無くドアを開ける。
【考案の概要】
【考案が解決しようとする課題】
【０００３】    従来の後部座席者は殆どが後方の安全確認をする事無くドアを開けようとする。その結果後方から来た自動車、オートバイ、自転車と衝突事故が起きる。
【問題を解決する為の手段】
【０００４】  後部座席者が後方の安全を確認する為のミラーを後部ドアの外側付近に設け、後部座席者自らが後方の安全確認をして事故防止を図る。
以上を特徴とする後部座席者下車時後方安全確認ミラーである。
【考案の効果】
【０００５】  従来は後部座席者の殆どが後方の安全確認を十分にせずにドアを開けて降車して衝突事故を起こしたりするが本考案は後部座席のドアの外側付近にあるミラーで安全確認をしてドアをあけるので事故防止が可能である。
【図面の簡単な説明】
【０００６】
【図１】本考案を利用して、車の後部ドアの外側付近に後部座席者が安全確認ができるミラーを設けた状態を示す斜視図
【考案を実施する為の形態】
【０００７】  本考案は後部座席者が車から降りようとする時に、後方から接近する自動車、オートバイ、自転車等の接近状態を確認して十分な安全確認後、ドアを開き降りる為の後部座者下車時後方安全確認ミラーである。
【符号の説明】
【０００８】  １  後部座席者下車時後方安全確認ミラー
【図１】
0003208625.tif 000003
(57)【要約】      （修正有）【課題】指圧効果が発揮され、また高さ調節ができ、体の部位によっては適度な圧力を調節でき、また指圧したい体の部位のみを指圧する事ができる指圧器を提供する。【解決手段】体との接点にあたる部品３と台座となる部品１をネジ４で着脱でき、台座を段階的に取り外し可能な形状にする事で、段階的に高さ調節ができるという特徴、体との接点にあたる部品は硬質な材料を用い容易に変形しないという特徴、曲面の曲率の異なる他の部品を選択可能という特徴、体との接点にあたる部品を単数とすることで指圧部位を限定しやすく、指圧したい部位のみを効果的に指圧できるという特徴、以上の特徴により使用者に適応した指圧効果を提供する。【選択図】図１
0003208628.tif 000002
【実用新案登録請求の範囲】
【請求項１】
体との接点にあたる部品と、高さ調節可能な台座となる部品とをネジで着脱できることを特徴とする指圧器。
【請求項２】
前記体との接点にあたる部品は、材質を硬質のものとし、容易に変形しないことを特徴とする請求項１記載の指圧器。
【請求項３】
前記体との接点にあたる部品は、形状を一部に球面を有することを特徴とする請求項１記載の指圧器。
【請求項４】
前記体との接点にあたる部品は、単数であることを特徴とする請求項１記載の指圧器。
【請求項５】
前記台座は、ネジを有する台座部品とネジ穴を有する台座部品とに分かれており、ネジを有する台座部品を基礎の台座部品とし、ネジ穴を有する台座部品を着脱可能とすることで高さ調節可能であることを特徴とする請求項１記載の指圧器。
【請求項６】
前記台座は、ネジを有する台座部品と体との接点にあたる部品との接触部、およびネジ穴を有する台座部品と体との接点にあたる部品との接触部に凹部を有し、凹部は体との接点にあたる部品と螺合し、かつ、ネジ穴を有する台座部品はネジを有する台座部品との接触部に凸部を有し、ネジを有する台座部品の凹部と螺合することを特徴とする請求項１記載の指圧器。
【考案の詳細な説明】
【技術分野】
【０００１】  本考案は、床等に据え置き体重をかける事により、指圧効果を施す指圧器に関するものである。
【背景技術】
【０００２】  従来の指圧器として、床等に据え置き体重をかける事により、指圧効果を施すものとして特開２００７−１６００５６号または実用新案登録第３１９７４３４号が公知である。
【先行技術文献】
【特許文献】
【０００３】
【特許文献１】特開２００７−１６００５６号公報
【特許文献２】実用新案登録第３１９７４３４号公報
【考案の概要】
【考案が解決しようとする課題】
【０００４】  従来の指圧器で、体との接点にあたる部品に弾性材料を用いている場合、指圧の圧力が緩和されることとなり、指圧効果が発揮されない場合があった。また高さ調節ができない場合、体の部位によっては適度な圧力を調節できずに指圧効果が発揮されない場合があった。また体との接点にあたる部品が複数配置されている場合、体との接点にあたる部品を単数で使用することが難しく、指圧の圧力が分散されたり、指圧したい体の部位以外も指圧してしまったり、体との接点にあたる部品を単数で使用したくても、他の体との接点にあたる部品が妨げとなり、思い通りの指圧効果が発揮されない場合があった。
【課題を解決するための手段】
【０００５】  以上の課題を解決するために、体との接点にあたる部品と台座となる部品をネジで着脱でき、台座を段階的に取り外し可能な形状にする事で、段階的に高さ調節ができる事を特徴とする。
また、体との接点にあたる部品は硬質な材料を用い容易に変形しないことにより、効果的な指圧効果を得られる事を特徴とする。
また、体との接点にあたる部品は、曲面の曲率の異なる他の部品と付け替え可能とし、部品を選択することにより使用者に適応した指圧効果を得られる事を特徴とする。
また、体との接点にあたる部品を単体で使用することでも、使用者に適応した指圧効果を得られる事を特徴とする。
また、体との接点にあたる部品を単数とすることで指圧部位を限定しやすく、指圧したい部位のみを効果的に指圧できる事を特徴とする。
【考案の効果】
【０００６】  本考案は複数の部品を選択し組み合わせる事により、従来技術に比して細やかな調節を可能とし、その調節により従来技術と比してより効果的な指圧を施す事ができる。
【図面の簡単な説明】
【０００７】
【図１】本考案の一実施例を示す断面図である。
【図２】本指圧器の正面図である。
【図３】体との接点にあたる部品の例を示す断面図である。
【図４】体との接点にあたる部品の例を示す正面図である。
【考案を実施するための形態】
【０００８】  ネジを有する台座部品１から伸びたネジ４がネジ穴を有する台座部品２と体との接点にあたる部品３に開けられたネジ穴５を通過し固定することにより指圧器を形成する。台座部品１と台座部品２と接点部品３を組み合わせて使用する他、台座部品１と接点部品３だけの組み合わせや、接点部品３単体で使用する事もできる。また接点部品３は曲面の曲率が異なる部品（１）６や曲面の曲率が異なる部品（２）７のような曲面の曲率が異なる部品に付け替える事ができる。また曲面の曲率が異なる部品（１）６や曲面の曲率が異なる部品（２）７単体で使用する事もできる。
接点部品３と曲面の曲率が異なる部品（１）６と曲面の曲率が異なる部品（２）７の材料は、石、金属、木、プラスチック等、硬質であればいずれでも良い。
台座は、台座部品１と接点部品３との接触部、および台座部品２と接点部品３との接触部に凹部を有し、凹部は接点部品３と螺合し、かつ、台座部品２は台座部品１との接触部に凸部を有し、台座部品１の凹部と螺合する。台座部品１と台座部品２と接点部品３の全てを組み合わせた高さは１５０ｍｍ以下である。
【実施例】
【０００９】  肩や首など高さをあまり必要としない部位の指圧にはネジを有する台座部品１と体との接点にあたる部品３の組み合わせや、体との接点にあたる部品３単体で使用する。腰など床から浮くような部位はネジを有する台座部品１とネジ穴を有する台座部品２と体との接点にあたる部品３を組み合わせることにより高さを確保し使用する。
【符号の説明】
【００１０】１  ネジを有する台座部品
２  ネジ穴を有する台座部品
３  体との接点にあたる部品
４  ネジ
５  ネジ穴
６  曲面の曲率が異なる部品（１）
７  曲面の曲率が異なる部品（２）
【図１】
0003208628.tif 000003
【図２】
0003208628.tif 000004
【図３】
0003208628.tif 000005
【図４】
0003208628.tif 000006
(57)【要約】      （修正有）【課題】薄地のプラスチックシートを用いて容易に組み立てられ、かつ十分な強度を持つ乗り物型ポケットティッシュケースを提供する。【解決手段】乗り物型ポケットティッシュケース１はフィルムシートよりなり、トムソン加工によって打ち抜かれた複数の物品が備えられ、フック構造を持った差し込みｔ１〜ｔ１１と、これと対になる切込みｓ１〜ｓ１１をもった複数の物品、また、ポケットティッシュを底上げするためのタブＴ１、Ｔ２、タイヤの形状を模した脚部Ｗ１〜Ｗ４任意のデザインや広告を施せるＫ１〜Ｋ４が大部分をトムソンで打ち抜かれ部分的にシートに固定された状態で備わっている。【選択図】図１
0003208630.tif 000002
【実用新案登録請求の範囲】
【請求項１】
薄地のフィルムシート材料において、フック構造を備えた差し込み、あるいは前記差し込みと対になる切込みを有し、前記差し込み前記切り込みを噛み合わせて接合される複数の部品が打ち抜かれていることを特徴とする乗り物型ポケットティッシュケース。
【請求項２】
請求項１に記載の乗り物型ポケットティッシュケースはトムソン型を使用して打ち抜かれた複数物品が対になる前記差し込みと前記切り込みを噛み合わせることで該物品内部に現れた空間に汎用的なポケットティッシュを２つ収納できることを特徴とする乗り物型ポケットティッシュケース。
【請求項３】
請求項１に記載の乗り物型ポケットティッシュケースはトムソン型を使用して打ち抜かれた複数物品中に、該物件を自立支持する脚部の構造が自動車のタイヤを模した半円形で配置されていることを特徴とする乗り物型ポケットティッシュケース。
【請求項４】
請求項１に記載の乗り物型ポケットティッシュケースは、オフセット印刷を用いて絵や文字、写真を印刷した請求項１に記載の乗り物型ポケットティッシュケース。
【考案の詳細な説明】
【考案の詳細な説明】
【技術分野】
【０００１】  本考案は主として、フイルムシート材料に対して施された、多目的に使用できる利便性の高いノベルティー商品に関するものである。
【背景技術】
【０００２】  従来の紙で作製していたポケットティッシュケースは、組み立てるときに固定用の糊やテープ、シートからパーツを分離する為のはさみやカッター等の道具が必要だった。また形状も単純で質素なものが多かった。
【考案が解決しようとする課題】
【０００３】  Ａ４サイズのプラスチックシートに物品を構成することで強度が大きく、収納の利便性が高くなり、輸送コストを抑えることができる。更に、オフセット印刷やインクジェットプリンターを用いてバス、電車、トラック等の絵柄を印刷することでノベルティーグッズとしての価値を高めることができる。
【課題を解決するための手段】
【０００４】  トムソンで打ち抜いた各部分の接合部分の構造を組み立てやすく、かつ外れにくくするために、フック部に切り込みを入れる、かつフィルムシートの柔軟な収縮性を利用し、接合部を噛み合わせる事で強固な構造を作り出す事ができる。
また、組み立てた時に本物品を自立支持する脚部は、自動車のタイヤを模した半円形であり、当該部分にタイヤの図案を施すことで本物品を乗り物に見立てたポケットティッシュケースとして使用することができる。
【考案を実施するための形態】
【０００５】  図１は本考案の乗り物型ポケットティッシュケース（１）の平面図である。乗り物型ポケットティッシュケース（１）はフィルムシートよりなり、トムソン加工によって打ち抜かれた複数の物品が備えられている。
乗り物型ポケットティッシュケース（１）には、フック構造を持った差し込み（ｔ１）（ｔ２）（ｔ３）（ｔ４）（ｔ５）（ｔ６）（ｔ７）（ｔ８）（ｔ９）（ｔ１０）（ｔ１１）と、これと対になる切込み（ｓ１）（ｓ２）（ｓ３）（ｓ４）（ｓ５）（ｓ６）（ｓ７）（ｓ８）（ｓ９）（ｓ１０）（ｓ１１）をもった複数の物品、また、
ポケットティッシュを底上げするためのタブ（Ｔ１）（Ｔ２）、タイヤの形状を模した脚部（Ｗ１）（Ｗ２）（Ｗ３）（Ｗ４）任意のデザインや広告を施せる（Ｋ１）（Ｋ２）（Ｋ３）（Ｋ４）が大部分をトムソンで打ち抜かれ部分的にシートに固定された状態で備わっている。
【０００６】  図２は本考案の乗り物型ポケットティッシュケース（１）にシートから分離し組立てた時の斜視図である。このとき乗り物型ポケットティッシュケース（１）は脚部（Ｗ１）（Ｗ２）（Ｗ３）（Ｗ４）が乗り物のタイヤの形を模していることから任意のデザインを施すことで多種類に渡る乗用車を図案として選択できる状態にある。また、乗り物型ポケットティッシュケース（１）には汎用的なポケットティッシュを３つ収納できるスペースが確保され、乗り物型のポケットティッシュケースとして機能を果たすことが出来る状態でもある。
【０００７】  図３は本考案の乗り物型ポケットティッシュケース（１）をシートから分離し組立てたものに、汎用的なポケットティッシュを（Ｐ）を組み合わせたものである。図で広告スペースである（Ｋ３）（Ｋ４）を折り罫に沿って起ち上げた時に現れる空間から汎用的なポケットティッシュを（Ｐ）を取り使用することが出来る状態である。
【図面の簡単な説明】
【０００８】
【図１】本考案の乗り物型ポケットティッシュケースの平面図
【図２】図１の乗り物型ポケットティッシュケース組み立てた場合の斜視図
【図３】図２の乗り物型ポケットティッシュケースにポケットティッシュを組み合わせた場合の斜視図
【０００９】１    乗り物型ポケットティッシュケース
ｔ１  差し込み１
ｔ２  差し込み２
ｔ３  差し込み３
ｔ４  差し込み４
ｔ５  差し込み５
ｔ６  差し込み６
ｔ７  差し込み７
ｔ８  差し込み８
ｔ９  差し込み９
ｔ１０  差し込み１０
ｔ１１  差し込み１１
ｓ１  切り込み１
ｓ２  切り込み２
ｓ３  切り込み３
ｓ４  切り込み４
ｓ５  切り込み５
ｓ６  切り込み６
ｓ７  切り込み７
ｓ８  切り込み８
ｓ９  切り込み９
ｓ１０  切り込み１０
ｓ１１  切り込み１１
Ｋ１  広告スペース１
Ｋ２  広告スペース２
Ｋ３  広告スペース３
Ｋ４  広告スペース４
Ｐ    ポケットティッシュ
Ｔ１  底上げ用タブ１
Ｔ２  底上げ用タブ２
Ｗ１  脚部１
Ｗ２  脚部２
Ｗ３  脚部３
Ｗ４  脚部４
【図１】
0003208630.tif 000003
【図２】
0003208630.tif 000004
【図３】
0003208630.tif 000005